(57)【要約】【課題】商品情報の書き換え、その完了確認が簡易であり、特定の商品を簡易に探せ、情報書き換えなどの所定のタグ情報を的確に通知できるＩＣタグを提供する。【解決手段】充電端子１０をそれぞれに設けた一対の挟み込み部Ａと、把持される一対の把持部Ｂと、この把持部Ｂが把持されたときに、挟み込み部Ａを開くとともに、把持状態が解除されたときには挟み込み部Ａを閉じる弾性部材１５とで構成され、充電端子１０を通じて供給される電源を蓄電する充電部１２と、所定の識別情報を含む各種情報が書き込まれたＩＣ部１１と、このＩＣ部１１に書き込まれた情報を無線データとして出力する無線出力部１４と、ＩＣ情報の書き換え時などに点灯あるいは点滅する表示部１３とを備えている。【選択図】図１
2005108083.tif 000002
【特許請求の範囲】
【請求項１】
充電端子をそれぞれに設けた一対の挟み込み部と、把持される一対の把持部と、この把持部が把持されたときに、上記挟み込み部を開くとともに、把持状態が解除されたときには上記挟み込み部を閉じる弾性部材とで構成され、
上記充電端子を通じて供給される電源を蓄電する充電部と、識別情報を含む各種情報が書き込まれたＩＣ部と、このＩＣ部に書き込まれた情報を無線データとして出力する無線出力部と、上記ＩＣ情報の書き換え時などに点灯あるいは点滅する表示部とを備えていることを特徴とするＩＣタグ。
【請求項２】
請求項１において、
上記無線出力部と上記表示部とは、上記ＩＣ部に共通の制御端子を通じて結線されており、上記表示部は、上記無線出力部をオンオフさせたときに同時に点滅することを特徴とするＩＣタグ。
【請求項３】
請求項１または２において、
上記表示部は発光ダイオードによって構成されており、上記制御部は上記発光ダイオードを種々の点滅態様で表示させる構成としたことを特徴とするＩＣタグ。
【請求項４】
請求項１〜３において、
識別情報書き換え信号に応じて、上記ＩＣ部に保存している識別情報を書き換え可能にしているＩＣタグ。
【請求項５】
請求項１〜４に記載のＩＣタグと、
上記ＩＣタグからの無線データを受信する無線受信部と、この受信部によって受信した無線データを解析して、種々の管理を行う制御部とを少なくとも備える管理受信器と、
上記ＩＣタグの充電端子を挟みつけて充電する構成であって、通信ネットワークを通じて通信するためのネットワーク部を備える充電器を組み合わせて構成したＩＣタグ管理システム。
【請求項６】
請求項１〜４に記載のＩＣタグと、
少なくとも上記ＩＣタグの識別情報を書き込んだ識別コードを読み取り、それを無線送信する読取器とを備えており、
上記ＩＣタグの制御部は、上記読取器から受け取った情報より識別情報を照合して、上記表示部を点灯あるいは点滅させる構成としたＩＣタグ管理システム。
【請求項７】
請求項５または６に記載のＩＣタグ管理システムと、移動体の現在地を上記移動体あるいはこれにネットワーク接続される管理装置に通知するＧＰＳ位置情報通知システムとを組み合わせて構成され、上記ＧＰＳ位置情報通知システムと上記ＩＣタグ管理システムとがネットワーク接続されていることを特徴とするＩＣタグ管理システム。
【請求項８】
請求項５〜７において、
上記充電器は通信ネットワークに接続され、上記ＩＣタグがセットされるとこのＩＣタグの表示部を点灯あるいは点滅させる構成とし、上記充電器にセットされたＩＣタグの点灯あるいは点滅を検知するセンサと、上記ＩＣタグの充電端子電圧を検知する検知手段とを備えており、上記センサによる検知信号と、上記検知手段による充電端子電圧とを上記通信ネットワークに送信し、
上記通信ネットワーク上の管理装置は、上記検知信号と充電端子電圧とを受けると、充電端子電圧に基づいて、上記ＩＣタグの充電状況を把握することを特徴とするＩＣタグ管理システム。
【請求項９】
請求項８において、
上記ＩＣタグの表示部の変わりに無線または赤外線発信手段を備え、上記充電器のセンサの変わりに無線または赤外線受信手段を備えていることを特徴とするＩＣタグ管理システム。
【請求項１０】
請求項８において、
上記通信ネットワーク上の管理装置において、上記充電器を通じて、上記充電器にセットされているＩＣタグの充電履歴情報または現在状態を受信して記録して、所定の処理をする構成としたＩＣタグ情報管理システム。
【発明の詳細な説明】
【技術分野】
【０００１】
本発明は、ＩＣタグの改良、及び、改良したＩＣタグを用いたＩＣタグ管理システムに関する。
【背景技術】
【０００２】
近時、ＩＣタグによって、商品管理を行う機会が増えている。下記非特許文献１によれば、価格、商品種別などの商品情報を書き込んだＩＣタグを商品に取り付けて、リーダをタグに近づけるとＩＣに起電力が発生して商品情報がリーダに送信され、リーダで商品情報を管理することが記載されている。
【非特許文献１】http://review.ascii24.com/db/review/peri/ta_router/2003/09/08/645839-000.html
【発明の開示】
【発明が解決しようとする課題】
【０００３】
しかしながら、上記したＩＣタグは、非常に小さいため、予め商品に取り付けて用いられることが多く、商品情報を書き換えて他の商品につけかえることが困難であった。
【０００４】
また、起電力発生を、リーダを近づけて電磁誘導により行い、タグから得た商品情報を解析して商品管理をする構成であるため、商品が山積みにされていて特定の商品を探したい場合、電磁誘導のできる範囲までリーダを近づけないといけないため探すことが困難であった。
【０００５】
更に、タグの情報を書き換えた場合、その確認はリーダで読み取ることによって行うしかなく、もっと簡易な手法によって書き換え完了を人間に知らせたい場合がある。
【０００６】
本発明は、このような事情を考慮してなされたものであり、商品情報の書き換え、その完了確認が簡易であり、特定の商品を簡易に探せ、情報書き換えなどの所定のタグ情報を的確に通知できるＩＣタグ、およびこれを使用したＩＣタグ管理システムを提供することを目的としている。
【課題を解決するための手段】
【０００７】
上記目的を達成するために、本発明の請求項１では、充電端子をそれぞれに設けた一対の挟み込み部と、把持される一対の把持部と、この把持部が把持されたときに、上記挟み込み部を開くとともに、把持状態が解除されたときには上記挟み込み部を閉じる弾性部材とで構成され、上記充電端子を通じて供給される電源を蓄電する充電部と、所定の識別情報を含む各種情報が書き込まれたＩＣ部と、このＩＣ部に書き込まれた情報を無線データとして出力する無線出力部と、上記ＩＣ情報の書き換え時などに点灯あるいは点滅する表示部とを備えている。
【０００８】
請求項２では、無線出力部と上記表示部とは、上記ＩＣ部に共通の制御端子を通じて接続されており、表示部は、無線出力部をオンオフさせたときに同時に点滅することを特徴とする。
【０００９】
請求項３では、表示部は発光ダイオードによって構成されており、上記制御部は上記発光ダイオードを種々の点滅態様で表示させる構成としたことを特徴とする。
【００１０】
請求項４では、識別情報書き換え信号に応じて、ＩＣ部に保存している識別情報を書き換え可能にしている。
【００１１】
請求項５では、ＩＣタグからの無線データを受信する無線受信部と、この受信部によって受信した無線データを解析して、種々の管理を行う制御部とを少なくとも備える管理受信器と、上記ＩＣタグの充電端子を挟みつけて充電する構成であって、通信ネットワークを通じて通信するためのネットワーク部を備える充電器を組み合わせて構成した。
【００１２】
請求項６では、少なくとも上記ＩＣタグの識別情報を書き込んだ識別コードを読み取り、それを無線送信する読取器とを備えており、上記ＩＣタグの制御部は、上記読取器から受け取った情報より識別情報を照合して、上記表示部を点灯あるいは点滅させる構成とした。
【００１３】
請求項７では、請求項５または６に記載のＩＣタグ管理システムと、移動体の現在地を上記移動体あるいはこれにネットワーク接続される管理装置に通知するＧＰＳ位置情報通知システムとを組み合わせて構成され、上記ＧＰＳ位置情報通知システムと上記ＩＣタグ管理システムとがネットワーク接続されていることを特徴とする。
【００１４】
請求項８では、充電器は通信ネットワークに接続され、上記ＩＣタグがセットされるとこのＩＣタグの表示部を点灯あるいは点滅させる構成とし、上記充電器にセットされたＩＣタグの点灯あるいは点滅を検知するセンサと、上記ＩＣタグの充電端子電圧を検知する検知手段とを備えており、上記センサによる検知信号と、上記検知手段による充電端子電圧とを上記通信ネットワークに送信し、上記通信ネットワーク上の管理装置は、上記検知信号と充電端子電圧とを受けると、充電端子電圧に基づいて、上記ＩＣタグの充電状況を把握することを特徴とする。
【００１５】
請求項９では、ＩＣタグの表示部の変わりに無線または赤外線発信手段を備え、上記充電器のセンサの変わりに無線または赤外線受信手段を備えていることを特徴とする。
【００１６】
請求項１０では、通信ネットワーク上の管理装置において、上記充電器を通じて、上記充電器にセットされているＩＣタグの充電履歴情報または現在状態を受信して記録して、所定の処理をする構成とした。
【発明の効果】
【００１７】
本発明の請求項１では、把持部を把持すれば、充電端子を設けた挟み込み部が被管理物をはさみこむので、タグの付け替えが容易にでき、挟み込み部に設けた充電端子を通じて充電されるため、充電が容易である。
【００１８】
更に、ＩＣ部に書き込まれた情報を無線データとして出力する無線出力部を備えるので、上記効果と合わせて商品管理が容易となる。更に、ＩＣ情報の書き換え時などに点灯あるいは点滅する表示部とを備えているので、ＩＣ部の情報を書き換えたことをユーザが容易に確認できる。
【００１９】
請求項２では、無線出力部と表示部とは、ＩＣ部に共通の制御端子を通じて接続されているので、ＩＣ部などを設置する基板の小型化、簡易化が図れ、タグ自体の小型化、簡易化も図れる。
【００２０】
請求項３では、表示部は発光ダイオードによって構成されており、制御部は発光ダイオードを種々の点滅態様で表示させる構成としたので、ＩＣ部の情報書き換え完了や、充電完了などのメッセージをユーザに対して視覚的に伝えることができる。
【００２１】
請求項４では、識別情報書き換え信号に応じて、ＩＣ部に保存している識別情報を書き換え可能にしているので、商品管理上便利である。
【００２２】
請求項５では、ＩＣタグからの無線データを受信する無線受信部と、この受信部によって受信した無線データを解析して、種々の管理を行う制御部とを少なくとも備える管理受信器と、ＩＣタグの充電端子を挟みつけて充電する構成であって、通信ネットワークを通じて通信するためのネットワーク部を備える充電器を組み合わせて構成している。
【００２３】
そのため、ＩＤタグを充電器に挟みつけて充電でき、充電器には通信ネットワークに接続でき、ネットワーク上の管理装置に対して識別情報などの商品情報を送って管理させたり、逆に、これらの情報をネットワークを通じて受信させることでＩＤタグに登録させることができる。
【００２４】
また、充電器同士をネットワークを通じて接続できるため、互いに離れた場所にいる人の間でＩＤタグの情報管理ができ、配送効率などが増す。
【００２５】
更に、管理受信器によって、ＩＤタグからの無線データを解析して管理する構成としているため、例えば、郵便配送に適用する場合など、所望の郵便物の発見効率が増し、配送効率が格段に向上する。
【００２６】
更に、システムの中でホストコンピュータにて、ＩＣタグの情報や仕様状態が一元管理でき、データ矛盾（例えば２重データ書き込みや、コミュニケーションエラーやセキュリティー問題）を回避できる。そのためは、データ書き換えを無作為の端末器で行うのではなく、充電器に接続されたデータ書き込み器を通じてのみ、ＩＣタグの情報をデータ書き換えするようにすると良い。そうすることで、利用料金追加情報うなどが追記できる。
【００２７】
請求項６では、少なくともＩＣタグの識別情報を書き込んだ識別コードを読み取り、それを無線送信する読取器とを備えており、ＩＣタグの制御部は、読取器から受け取った情報より識別情報を照合して、表示部を点灯あるいは点滅させる構成とした。
【００２８】
そのため、識別コードを読取器で読み取れば、ＩＣタグは識別コードを照合して点灯あるいは点滅し、ユーザに対して、被管理物の発見効率を向上させることができる。
【００２９】
請求項７では、請求項５または６に記載のＩＣタグ管理システムと、移動体の現在地を上記移動体あるいはこれにネットワーク接続される管理装置に通知するＧＰＳ位置情報通知システムとを組み合わせて構成され、ＧＰＳ位置情報通知システムとＩＣタグ管理システムとがネットワーク接続されていることを特徴とする。
【００３０】
そのため、ＧＰＳ受信器に、ＩＣタグ内の商品情報を送信して表示させることができる他、ＧＰＳ受信器に、商品情報に基づいて配送順位を決定させて地図データと複合させて表示させるようにすれば、より一層の配達効率の向上が図れる。
【００３１】
請求項８では、充電器は通信ネットワークに接続され、充電器は、センサによる検知信号と、検知手段による充電端子電圧とを通信ネットワークに送信し、通信ネットワーク上の管理装置は、検知信号と充電端子電圧とを受けると、充電端子電圧に基づいて、ＩＣタグの充電状況を把握することを特徴とする。
【００３２】
そのため、ネットワーク上の管理装置にて、ＩＣタグの充電状況がわかる。
【００３３】
請求項９では、ＩＣタグの表示部の変わりに無線または赤外線発信手段を備え、充電器のセンサの変わりに無線または赤外線受信手段を備えていることを特徴とする。そのため、光ではなく無線または赤外線を受けて充電器がＩＣタグのセットを認識できる。
【００３４】
請求項１０では、通信ネットワーク上の管理装置において、充電器を通じて、充電器にセットされているＩＣタグの充電履歴情報または現在状態を受信して記録して、所定の処理をする構成とした。そのため、管理装置において、充電履歴や現在状態をデータベースに保存しておいて、パーソナルコンピュータや管理受信器などに転送すれば、そこででもＩＣタグの状態が管理でき便利である。
【００３５】
また、所定処理として、タグ情報をうけたＩＣタグについては未使用中、そうでないタグについては使用中と判断すれば、一層の管理の効率化になる。
【発明を実施するための最良の形態】
【００３６】
以下に、本発明の実施の形態について説明する。
【実施例１】
【００３７】
図１は、本発明のＩＣタグの要部構成の一例を示す図である。
【００３８】
このＩＣタグ１は、後述する充電器の充電端子に接触させて充電するための充電端子１０と、このＩＣタグを制御するＣＰＵを含み、このタグ１固有の識別情報（例えばＩＤコード）の他、後述する諸情報が登録されるＩＣ部１１と、充電端子１０を通じて充電する充電部１２と、表示部を構成するＬＥＤ１３と、ＩＣ部１１の情報を無線信号として出力する無線出力部１４とを備える。
【００３９】
また、このＩＣタグ１は、充電端子１０をそれぞれに設けた一対の挟み込み部Ａと、指先によって把持される一対の把持部Ｂと、この把持部Ｂが把持されたときに、挟み込み部Ａを開くとともに、把持部Ｂの把持状態が解除されたときには挟み込み部Ａを閉じる弾性部材１５とを備える。このＩＣタグは、このような構成をしているため、商品などの被管理物への取り付け、取り外しが非常に容易である。
【００４０】
なお、挟み込み部Ａ、把持部Ｂは絶縁部材で構成すれば、感電の心配がなくなる。
【００４１】
図２は、ＬＥＤ１３と無線出力部１４の取り付け例について説明するための図である。ＬＥＤ１３と無線出力部１４（ここでは赤外線ＬＥＤで構成されている）は、共通の制御端子Ｔ１，Ｔ２を通じて接続されており、図２（ａ）では直列に、図２（ｂ）では並列に接続されている。
【００４２】
このように制御端子Ｔ１を共通化した場合の、ＬＥＤ１３と赤外線ＬＥＤ１４の制御例を図３を用いて説明する。ＬＥＤ１３は後述するように主に対人間に対して使われ、赤外線ＬＥＤ１４は後述するように主に対管理受信器に対して使われるため、対人間に対して後述するようなＩＣ部１１の情報書き換え完了などを通知することなく、ＩＣ部１１の情報を無線出力したい場合には、ＩＣ部１１はＰＭＷ制御によって図３（ａ）に示すようなパルス制御をする。
【００４３】
図３（ａ）では、ＬＥＤ１３は人間の目によって視認できない程度のパルスであっても赤外線ＬＥＤ１４より情報が伝達できればよいので、オン期間の回数がオフ期間に比べて極めて小さくなっている。一方の図３（ｂ）では、ＬＥＤ１３によって人間の目にも視認できるとともに赤外線ＬＥＤ１４より情報を伝達できる程度のパルス波形を示している。この場合、オン期間がオフ期間に比べて極めて大きくなっている。
このように、共通の制御端子Ｔ１，Ｔ２を通じてＬＥＤ１３と無線出力部１４とを接続し、上記にような制御をすることによって、人間にも管理受信器にも情報伝達できるという利点を持たせつつ、ＩＣ部１１などの構成部材を搭載する基板の小型化、簡素化が図れるという利点がある。
【００４４】
このような基本構成のＩＣタグ１を用いたＩＣタグ管理システムについて図４に図示する。このＩＣタグ１は、宅配便や寿司皿などの被管理物にＩＣタグ１を挟みつけて使用される。以下、郵便物の管理を例にあげて説明する。
【００４５】
ある郵便配送所に到着した郵便物には、局員の手によって郵便物ごとにＩＣタグ１（＃１〜３）が挟みつけられて取り付けられる。ＩＣタグ１のそれぞれには、異なる識別情報（例えばＩＤコード）や、郵便物の情報（例えば、送付先、送付元、配送料、配達指定時刻、郵便物の種類など）がデータとして書き込まれている。
【００４６】
各々のＩＣタグ１からは、先述したように、その識別情報と郵便物情報とが赤外線ＬＥＤ１４から出力される。これを管理受信器２で受け、受信器２内で識別情報の照合をする。照合できると、受信器２で所定の報知、例えば、ＬＥＤの点灯点滅、音声メッセージ出力、ブザー鳴動などをする。
【００４７】
このような基本動作をなすから、例えば、局員各々に管理受信器２を所持させ、その受信器２内に、各局員が配送などで取り扱う郵便物の識別情報を登録しておけば、取り扱うべき郵便物の発見に非常に役立ち、郵便物のピックアップ作業が効率化できる。
【００４８】
受信器２に、照合をした郵便物固有の情報を表示するようにすれば、更に、配送の際の効率化が図れる。
【００４９】
また、受信器２にスキャナなどの読取機構を設けて、不在配達表に２次元バーコード（郵便物の識別情報が記載されている）などを印字しておいて、スキャナでそのコードを読み取り、抽出した郵便物の識別情報をページング信号として、無線あるいは赤外線発信し、これを受けたＩＣタグで照合を行って、ＬＥＤ１３を点灯あるいは点滅させたり音声出力するようにすれば、不在で配送所に戻ってきた郵便物の発見を効率化することができる。そのためには、ＩＣタグ１側で照合機能を持たせる必要がある。
【００５０】
以上のような動作を可能とするため、管理受信器２は、図５に示すような内部構成をしている。すなわち、この管理受信器２を制御するＣＰＵ２０と、この受信器２が動作するためのプログラムの他、所望のＩＣタグ１の識別情報や被管理物情報を登録したメモリ２１と、先述した２次元バーコードなどを読み取るスキャナ２２と、表示部２３と音声部２４と、ＩＣタグ１の識別情報などを登録するための操作部２５とを備える。
【００５１】
ＣＰＵ２０は、先述したような照合を行う。照合すると表示部２３や音声部２４を作動させる。また、照合したＩＣタグ１に対応する被管理物情報をメモリ２１から読み出して表示部２３に表示させる。
【００５２】
また、ＣＰＵ２０は、メモリ２１から読み出した被管理物情報を基にして、郵便物の種別、配達指定時刻などから判断して、配達優先順位を決定して表示する機能も有する。具体的には、生鮮食品であったり配達指定時刻が早ければ最優先とし、そうでなければ後回しなどできる。
【００５３】
なお、このシステムは、例として、郵便物管理を示したが、この例には限られず、回転寿司の寿司管理にも適用できる。図６の場合、管理受信器２（＃１〜＃３）を回転テーブルの適所に設け、ＩＣタグ（＃１〜＃３）を挟みつけた寿司皿を回転テーブルＴに設置する。管理受信器（＃１〜＃３）は、管理対象となる寿司皿にあるＩＣタグの識別情報、寿司情報が登録されている。寿司情報としては、カロリー、値段、作った時刻などがあり、識別情報や寿司情報はＩＣタグ１にも記録されている。
【００５４】
管理受信器２は、テーブルＴを回転する寿司皿から、自身に登録した識別情報を受け取ったときには、ＣＰＵ２０によって、その識別情報に付随する寿司情報を抽出して、作ってから何分時間がたっているかを判定する。そのためにはメモリ２１に寿司情報として、ＩＣタグ１毎の時間を登録している必要があるが、例えば、トロののったＩＣタグ１について、時間が１０分と登録していると、作った時間から１０分経過した時点で、管理受信器２から無線あるいは優先で管理センタにその警告を送る。
【００５５】
また、特別注文をした寿司を作るときがあるが、こういう場合には、注文をしたお客に受信器２を持たせておき、その近傍をＩＣタグ２が通ると、受信器２からの無線を受けたタグ２が発光するので、他のお客が誤って寿司を取ってしまうことがなくなる。
【００５６】
また、寿司管理での用い方としては、以下の手法もある。すなわち、従業員全員に管理受信器２を所持させ、顧客が会計を頼んだ時点で受信器２を皿に近づけて識別情報や寿司情報を受信すれば、会計計算だけではなく、お客の食べた総カロリー計算もできる。
【００５７】
更に、このシステムは、郵便物管理や寿司管理だけではなく、パチンコの景品管理、空港荷物などの配送仕分けなど、商品管理の必要なあらゆる場面で適用できるという利点がある。
【実施例２】
【００５８】
図７は、本発明システムの他の構成例を示す図である。このものでは、先述した充電器４を利用したＩＤタグ管理システムを示している。
【００５９】
このものは、充電器４は通信ネットワークＮ１に接続され、ＩＣタグがセットされると、ＩＣタグ１のＬＥＤ１３を点灯あるいは点滅させる構成としている。また、充電器４には、充電器にセットされたＩＣタグの点灯あるいは点滅を検知するセンサＳ２と、ＩＣタグの充電端子１０の電圧、つまり、充電器４側の充電端子４１の検知する検知手段とを備えている。この検知手段は、ここでは図示はしないが充電器４のＣＰＵで構成することができる。
【００６０】
充電器４にＩＣタグ１がセットされると、センサＳ２による検知信号と、検知手段による充電端子電圧とが通信ネットワークＮ１に送信される。これらの情報をネットワークＮ１上の管理装置３が受けると、充電端子電圧に基づいて、ＩＣタグ１の充電状況を把握する。
【００６１】
充電状況を把握すると、管理装置３では、そのデータベースにタグ１毎に書き込まれ、管理受信器２や他のパーソナルコンピュータに転送をして、あらゆる場所でタグ１の充電状況がわかる。
【００６２】
また、キーボードＫとディスプレイＤとを用いて、充電器４を通じてＩＣタグ１に先述したような識別情報などの情報が書き込める。すなわち、キーボードＫを操作して、登録させたい情報を入力してゆきディスプレイＤに表示させる。所定の確定操作をすると、情報書き換え信号に付随して、入力された情報が管理装置３によって充電器４に伝達される。充電器４はそのＣＰＵによって、充電端子１０を通じてＩＣ部１１に情報を書き込む。情報を書き込まれたＩＣタグ１はＬＥＤ１３を点灯あるいは点滅させる。
【００６３】
また、管理装置３は、充電器４にセットされたＩＣタグ１をデータベースに登録するようにしている。これは、ＩＣタグ１の紛失防止のためである。すなわち、充電器４にＩＣタグ１がセットされると、先述したように、識別情報などの情報が入力されるので、その識別情報のタグ１については未使用、識別情報を受けていないタグ１は使用中とデータベースに登録する。そのためにはデータベースに、システムで用いる全てのタグ１の識別情報をもっていることが必要となる。なお、このデータベースの内容は先述したように、管理受信器２や他のパーソナルコンピュータに転送できる。
【００６４】
なお、ＩＣタグ１のＬＥＤ１３の変わりに無線または赤外線発信手段を備え、充電器４のセンサＳ２の変わりに無線または赤外線受信手段を備えてもよい。その際のＩＣタグ１からの出力態様は光の場合と同様であり、これを充電器４の受信手段で受信する。
【００６５】
以上、実施例１，２を例示して、本システムについて説明したが、ＬＥＤ１３の点滅態様をケースごとに自在に変えるようにしてもよい。これは、ＩＣタグ１のＩＣ部１１の制御により行える。点滅態様を変えるケースとは、充電中または充電完了、ＩＣ部１１への情報書き込み完了などがある。
【実施例３】
【００６６】
図８は、本発明システムの更に他の構成例を示す図である。このものでは、先述したＩＤタグ管理システム（図７参照）に、移動体の現在地を移動体あるいはこれにネットワーク接続される管理装置３に通知するＧＰＳ位置情報通知システムとを組み合わせてものである。
【００６７】
充電器４は、通信ネットワークＮ２を通じて相互に接続されており、各々の充電器４にはＧＰＳ受信器５が接続され、受信器５には先述した管理装置３が接続されている。なお、ここでは、受信器５でも管理装置３が内蔵されている。
【００６８】
このものは、充電器４に伝達されるＩＣタグ１の情報は、ネットワークＮ２にも直接接続されたＧＰＳ受信器５にも伝送される。受信器５は内蔵もしくは外部接続された管理装置３に情報を送る。
【００６９】
また、ネットワークＮ２に伝送された情報はホストコンピュータＨにも伝送される。これを受けた管理装置やホストコンピュータでは、双方の充電器４側のＩＣタグ１の情報を受け取れ、例えば、郵便物配送に適用した場合、各配送員が自分のだけではなく他人の郵便物の情報まで理解でき、配達を助けたりすることができ、配送効率が向上する。
【００７０】
また、ＧＰＳ受信器５で得た移動体の位置情報を充電器４を通じて他のＧＰＳ受信器５にも送れる。そのため、より配送効率が向上する。
【００７１】
上記のような処理は、充電器４とＧＰＳ受信器５のＣＰＵのソフト処理により行うことができ、プログラムの書き換えだけで達成できる。
【産業上の利用可能性】
【００７２】
本発明は、郵便物集配、回転すし管理、宅配便の宅配、パチンコの景品（交換文鎮など）の物流管理、病院内などでの医薬品供給・チェックシステム、会社・ホテル等の鍵との連動した入退出管理システム、ゴルフ場・カラオケＢＯＸなどでのキャッシュレスプレイシステム、コンサート会場などにおける、会場での当選者などの抽選結果表示システム、飛行機などの搭乗券システム（ファイナルコール連絡や搭乗管理）、徘徊老人対策などに適用できる。
【図面の簡単な説明】
【００７３】
【図１】本発明のＩＣタグの要部構成の一例を示す図
【図２】表示部と無線出力部の取り付け例について説明するための図
【図３】表示部と無線出力部の表示態様について説明するための図
【図４】本発明システムの要部構成の一例を示す図
【図５】管理受信器の要部構成の一例を示す図
【図６】本発明システムの利用例を示す図
【図７】本発明システムの他例を示す図
【図８】本発明システムの更に他例を示す図
【符号の説明】
【００７４】
１・・・ＩＣタグ
２・・・管理受信器
３・・・管理装置
４・・・充電器
１０・・・充電端子
１１・・・ＩＣ部
１２・・・充電部
１３・・・表示部
１４・・・無線出力部
１５・・・弾性部材
Ａ・・・挟み込み部
Ｂ・・・把持部
【図１】
2005108083.tif 000003
【図２】
2005108083.tif 000004
【図３】
2005108083.tif 000005
【図４】
2005108083.tif 000006
【図５】
2005108083.tif 000007
【図６】
2005108083.tif 000008
【図７】
2005108083.tif 000009
【図８】
2005108083.tif 000010